(57)【要約】【課題】小型かつカードの不完全挿入時等でも容易にカード排出のできるカード排出装置を提供することを目的とする。【解決手段】フレーム１０の案内面１３、第一ロッド３１、第二ロッド３２は板状に形成されており、フレームは案内面に略平行なガイド板２３を有し、第一ロッド３１の前部に設けられたカム部材４０はばね部材４５により後方に付勢されてており、ガイド部２４は、直状案内部２５と、直状案内部の前部に連通した溝縁で形成された鉤状部２６とを有し、カム部材４０は、直状案内部２５そして鉤状部２６の縁で案内される係合部４４を有し、カム部材４０が第一ロッド３１からの前方への押圧力を受けて前進したときに、ガイド板２３の面から遠ざかる方向への接圧をカム部材４０に付与する離脱力付与部２６Ｃがガイド板に設けられている。【選択図】　図２
2004145682.tif 000002
【特許請求の範囲】
【請求項１】
カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有し、上記プッシュロッドは、操作者からのカード排出のための前方への押込力を受ける第一ロッドと、該第一ロッドからの押込力を排出レバー機構へ伝達する第二ロッドとを備え、該第一ロッドと第二ロッドがカード排出時に連係するカード排出装置において、フレームの案内面、第一ロッド、第二ロッドは板状に形成されており、フレームは案内面に略平行なガイド板を有し、第一ロッド、第二ロッドはそれぞれの板面がガイド板と略平行に配設されており、第二ロッドに対向する第一ロッドの前部には、ガイド板に形成されたガイド部に係合する係合部を有するカム部材が設けられ、該カム部材はばね部材により後方に付勢されており、ガイド部は、ガイド板に溝縁もしくは側端縁として前方に延びるよう形成された直状案内部と、該直状案内部の前部に連通した溝縁で形成された鉤状部とを有し、カム部材は、ばね部材の付勢力あるいはこれに抗して付与される上記押圧力を受けた際に、上記直状案内部そして鉤状部の縁で案内される係合部を有し、カム部材の係合部が上記鉤状部内に位置している際で、該カム部材が第一ロッドからの前方への押圧力を受けて前進したときに、ガイド板の面から遠ざかる方向への接圧をカム部材に付与して係合部を鉤状部からフレーム側に離脱させるために、離脱力付与部が上記ガイド板に設けられていること、あるいは受圧斜面がガイド部前端に設けられていることを特徴とするカード排出装置。
【請求項２】
鉤状部は、カム部材の後退を阻止するように該カム部材の係合部と係合する後縁部を有し、直状案内部から鉤状部への移行部が上記後縁部よりも前方に突出した部分の縁で形成されていることとする請求項１に記載のカード排出装置。
【請求項３】
鉤状部の後縁部は、カム部材が受けるばね部材の付勢力によって係合部を該後縁部との係合を深める方向に移動するテーパ面をなしていることとする請求項１又は請求項２に記載のカード排出装置。
【請求項４】
離脱力付与部はガイド板の鉤状部の前縁部にて板面から切り起こされた傾斜部の面によって形成されていることとする請求項１に記載のカード排出装置。
【発明の詳細な説明】
【０００１】
【発明の属する技術分野】
本発明は、電子機器へ挿入されたカードをその交換等のために排出するカード排出装置に関する。
【０００２】
【従来の技術】
この種のカード排出装置としては、例えば、特開平１１−２１９７５６に開示されているものが知られている。
【０００３】
この特開平１１−２１９７５６の公知装置は、カードを挿抜可能に案内支持するフレームと、フレームの側方で往復動するプッシュロッドと、プッシュロッドからの押圧力を受けてカードを排出する排出レバー機構とを有している。
【０００４】
プッシュロッドは、操作者からの押込力を受ける第一ロッドと、この力を排出レバー機構へ伝達する第二ロッドとを有し、両ロッドは中間部材を介して係合している。中間部材は第一ロッドに回動自在に支持されていて、第二ロッドと係合する位置とこの係合を解除する位置との間を回動する。この中間部材の回動は、中間部材に取りつけられたピン部材の一端が、フレームに形成されたハートカム溝に係合して、第一ロッドの前後移動に伴って、該ハートカム溝を循環移動することによりなされる。
【０００５】
上記ハートカム溝は、中間部材に所定の回動を与えるようにピン部材の一端を案内すると共に、この案内のために該ピン部材の一端の循環が一方向に行われ、逆方向循環が起きないよう溝底面に傾斜面や段差が形成されている。
【０００６】
このようなハートカム溝を用いることにより、カードを排出するときには中間部材が第二ロッドと係合して排出レバー機構を作動せしめ、その後は中間部材が第二ロッドとの係合が解除される。上記係合状態では第一ロッドの押釦が機器の前面から突出しており、解除状態ではほぼ前面の位置にある。
【０００７】
【特許文献】
特開平１１−２１９７５６（図２ないし図６）
【０００８】
【発明が解決しようとする課題】
上述のごとくのカード排出装置を備えた機器は、たとえ少しでも小型化されることが望まれている。そのためにはカード排出装置自体も小型化が要求される。
【０００９】
しかしながら、既述した公知装置では、ハートカム機構を用いているために、その部分が小型化を困難なものとしている。
【００１０】
ハートカムは、カム溝が有底で、しかもその溝底面に段差が設けられているので、カム溝深さ、段差、そして底壁面厚さが必要となり、それだけ厚さ方向で大きな寸法となる。さらに、カム溝は立体的に複雑な形状をなしていて、そのために樹脂をモールド成形することにより作られる。したがって、材質の強度が低いので、強度確保のために、この点でも厚いものとならざるを得ない。
【００１１】
さらに、このハートカム機構は、カム溝が形成されている部材以外に、ピン部材、中間部材、付勢部材等多くの部品を要する。これは、単に部品点数が多く複雑な溝となってコスト高となるのみならず、これらの多くの部品の作動空間を要するということであって、その点でも大型化してしまう。
【００１２】
又、上記公知装置では、カードをしっかりと所定位置まで挿入して奥部のコネクタと接続させることによって、上記ピン部材とハートカム溝との係合位置が、押釦を後退せしめるよう、すなわち押釦を機器の前面から突出してカードの排出に備えることが可能となる。
【００１３】
しかしながら、カードがしっかりとコネクタと接続されていない場合、例えば、カードが中途半端に挿入され、あるいは間違って不適なカードが挿入されてコネクタとは接続されていない場合には、かかるカードを抜出しなくてはならないが、押釦は機器の前面から突出しておらず、抜出可能状態ではない。仮にこの状態で押釦を押しても排出機構は作動しない。さりとて、この位置では、カードの後端は機器の前面から少ししか突出していないため指で摘んでカードを排出することも困難である。
【００１４】
本発明は、このような事情に鑑み、簡単で安価に作れ、小型化を可能とし、さらには、カードの位置あるいは存否にかかわらず、押釦によるカードの排出操作を可能とするカード排出装置を提供することを目的とする。
【００１５】
【課題を解決するための手段】
本発明に係るカード排出装置は、カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有し、上記プッシュロッドは、操作者からのカード排出のための前方への押込力を受ける第一ロッドと、該第一ロッドからの押込力を排出レバー機構へ伝達する第二ロッドとを備え、該第一ロッドと第二ロッドがカード排出時に連係するようになっている。
【００１６】
かかるカード排出装置において、本発明では、フレームの案内面、第一ロッド、第二ロッドは板状に形成されており、フレームは案内面に略平行なガイド板を有し、第一ロッド、第二ロッドはそれぞれの板面がガイド板と略平行に配設されており、第二ロッドに対向する第一ロッドの前部には、ガイド板に形成されたガイド部に係合する係合部を有するカム部材が設けられ、該カム部材はばね部材により後方に付勢されており、ガイド部は、ガイド板に溝縁もしくは側端縁として前方に延びるよう形成された直状案内部と、該直状案内部の前部に連通した溝縁で形成された鉤状部とを有し、カム部材は、ばね部材の付勢力あるいはこれに抗して付与される上記押圧力を受けた際に、上記直状案内部そして鉤状部の縁で案内される係合部を有し、カム部材の係合部が上記鉤状部内に位置している際で、該カム部材が第一ロッドからの前方への押圧力を受けて前進したときに、ガイド板の面から遠ざかる方向への接圧をカム部材に付与して係合部を鉤状部からフレーム側に離脱させるために、離脱力付与部が上記ガイド板に設けられていること、あるいは受圧斜面がガイド部前端に設けられていることを特徴としている。
【００１７】
このように、本発明では、フレームの案内面、第一ロッドそして第二ロッドの各部材がいずれも金属材で板状に作られ互いにそれらの板面が平行に配置されており、又、第一ロッドと第二ロッドとを連係せしめるカム手段も、板状のガイド板に形成されたガイド部にて作動することとしたので、各部材の板厚方向の寸法が小さくなると共にそれらの同方向での配置範囲寸法も小さくなり、その結果、同方向での小型化が可能となる。しかも、各部材は金属なので強度が大である。
【００１８】
さらに、このような本発明では、第二ロッドの位置に係りなく、押釦で第一ロッドを押すと、カム部材の係合部がガイド板の離脱力付与部と係合して鉤状部から離脱して、押釦が後退位置、すなわち、排出操作可能位置にくる。したがって、カードが中途半端に不完全挿入されたり、あるいは不適なカードが挿入されて、取出しづらい位置にあるときは、押釦を押すだけでカードを大きく後退させて電子機器の前面から十分に突出させることができ、容易に取り出せる。
【００１９】
本発明において、鉤状部は、カム部材の後退を阻止するように該カム部材の係合部と係合する後縁部を有し、直状案内部から鉤状部への移行部が上記後縁部よりも前方に突出した部分の縁で形成されていることが望ましい。こうすることにより、第一ロッドによりカム部材が最大限前方へ押し出され該カム部材の係合部が鉤状部と係合するとき、押圧力の解除時にばね部材の後方への付勢力によって戻って上記後縁部と確実に係合するので、係合部が離脱力付与部へ誤って直接到達するということはなくなる。
【００２０】
上記鉤状部の後縁部は、カム部材が受けるばね部材の付勢力によって係合部を該後縁部との係合を深める方向に移動するテーパ面をなしていることが好ましい。こうすると、ばね部材の付勢力を受けて鉤状部でカム部材が後退するにつれて係合部がテーパ面に沿って係合量を増大し係合を確実にする。
【００２１】
本発明において、離脱力付与部はガイド板の鉤状部の前縁部にて板面から切り起こされた傾斜部の面によって形成することができる。かかる形態では、加工がきわめて簡単となる。
【００２２】
【発明の実施の形態】
以下、添付図面にもとづき、本発明の実施の形態を説明する。図１は本発明の一実施形態を示す各部材の分解斜視図、図２は組立斜視図を示す。
【００２３】
図１において、符号１０はＰＣカード等のカードＣを矢印Ｘ方向に往復案内可能に支持するフレームであり、その支持のための支持部１１，１２を有している。フレーム１０は金属板材料を打ち抜きそして屈曲成形されて作られており、全体として、平板部１０Ａの両側に「コ」字状の支持部１１，１２を有している形態をなしている。この支持部１１，１２はカードＣの両方の側部をかかえるようにして支持し、かつＸ方向に案内する。
【００２４】
上記両支持部１１，１２の側壁部１３，１４には、その後部（図にて左部）にグランド接触片１５，１６が設けられている。このグランド接触片１５，１６は上記側壁部１１，１２に「コ」字状の溝を形成することにより、腕状の弾性可撓片として形成されている。そして、このグランド接触片１５，１６は内方に屈曲した接触部１５Ａ，１６Ａを有し、カード挿入時にカードＣの側面に形成されたグランド部に対して弾性接触するようになっている。又、上記側壁部１１，１２の下端には、翼状に突出した取付部１１Ａが設けられている。
【００２５】
上記両支持部１１，１２のうち、本実施形態では、一方の支持部１１にカード排出のための要素を備えている。
【００２６】
先ず、上記支持部１１の側壁部１３には、その外面の上縁そして下縁に、一部を切り起して屈曲成形した逆Ｕ字状ガイド片１７，１８、そしてＵ字状のガイド片１９，２０，２１がそれぞれ設けられている。これらのガイド片１７〜２１は、後述するプッシュロッド（第一ロッド及び第二ロッド）を案内支持するためのものである。又、側壁部１３の前部下縁に位置するガイド片２１の手前位置でそれよりも若干上部に他のガイド片２２が逆Ｕ字状をなして設けられている。上記ガイド片１７〜２２のうち、上記側壁部１３の上部の後部に位置するガイド片１７は、その端部に外方へ延出する係止部１７Ａを有し、その後部に掛止溝１７Ｂが形成されている。
【００２７】
フレーム１０の側壁部１３の前後方向中央部（ガイド片１７，２０とガイド片２２の間）の下縁からは、一体に形成されたガイド板２３が延出している。該ガイド板２３は上記フレーム１０の側壁部１３と平行に設けられており、中央部にガイド部としての窓状のガイド部２４が形成されている。このガイド部２４は前後に直状溝として延びる直状案内部２５とその前後に連通して上方に向け形成された溝状の鉤状部２６とを有している。この鉤状部２６は、図４に示されるように、上記直状案内部２５との境部分に前方へ突出した部分２６Ａを有していて、この部分２６Ａよりも後方（図４にて左方）の領域で後述のカム部材の係合部が係合するようになっている。上記鉤状部２６の後縁部２６Ｂは、ガイド板２３の外側へ向け後方に傾斜するテーパ面を形成している。上記鉤状部２６の上縁は、図４のごとく、前後方向にて鉤状部２６の前縁よりも後方に段部を有しており、この段部の前縁に離脱力付与部２６Ｃが設けられている。該離脱力付与部２６Ｃは、上記後縁部２６Ｂと前後方向で対向するようにして前縁部に傾斜面として形成されている。この傾斜面は、ガイド板２３を上記段部の位置で外側へ斜めに切り起こして形成され、上記後縁部２６Ｂの傾斜と同じ方向に傾斜している。又、上記ガイド板２３の後部上部には、当接片２７が設けられ、その前縁は下方に向くテーパ状の当接面２７Ａとなっている。さらに、上記ガイド板２３の前端には、外方に開くように傾斜した導入面２３Ａが設けられている。
【００２８】
上記プッシュロッド３０は、第一ロッド３１と第二ロッド３２とを有しており、共に金属材から作られ板状をなしている。第一ロッド３１は、後部に押釦３３が固着されるようになっており、前端には円形凹状の支持溝３４が形成され、後部寄りの中間部には、既述のグランド接触片１５の撓みを許容する窓部３５が形成されている。
【００２９】
次に、第二ロッド３２は、前端に押圧係合溝３６が形成され、後部には被圧腕部３７が後方に延びるようにして設けられている。この被圧腕部３７は高さ方向で上記ガイド部２４のうちの直状案内部２５に対応して位置している。被圧腕部３７の後端面はカム部材に押圧される受圧部３７Ａとなっている。上記第二ロッド３２の押圧係合溝３６には、カード排出レバー機構のイジェクトレバー３９の先端が係合しており、この第二ロッド３２からの押圧力を受け該イジェクトレバー３７の挺状の回動によって、上記レバー機構（図示せず）がカードを後方へ排出するようになっている。
【００３０】
上記第一ロッド３１と第二ロッド３２との間には、カム部材４０が配設されている。該カム部材４０は、図３によく見られるように、平板状の本体部４１の後部に、略円形状の被承部４２そして掛止溝４３Ａが形成され側方に延出した掛止片４３が設けられている。又、上記本体部４１の前部下縁には、一部が切り起こされて外側に屈曲された係合部４４が設けられている。又、その前面には上記した後縁部２６の傾斜に対応した受圧傾斜面４４Ａを形成している。
【００３１】
かかる第一ロッド３１、第二ロッド３２そしてカム部材４０は、次のように組み立てられる。
【００３２】
図２に示されるように、押釦３３が後端に固着された第一ロッド３１はガイド片１７，１９，２０の溝内に収められてフレーム１０の側壁部１３の外面に沿って上下縁で支持される。この第一ロッド３１の略円形の支持溝３４には、カム部材４０の被承部４２が収められており、その円形の周面にて該カム部材４０は上下に回動自在となっている。このカム部材４０は、第一ロッド３１により回動自在に支持された状態で、コイルばね４５によって後方に付勢されている。コイルばね４５は一端４５Ａがカム部材４０の掛止溝４３Ａに掛けられ、他端４５Ｂがフレームのガイド片１７の掛止溝１７Ｂに掛けられている。又、図２の状態では、ガイド板２３の内側に位置するカム部材４０の係合部４４がガイド板２３の直状案内部２５に係合している。又、第一ロッド３１の窓部３５内には、フレームのグランド接触片１５の接触部１５Ａが位置している。
【００３３】
第二ロッド３２は、上記フレーム１０の側壁部１３の外面に沿った位置で、ガイド片１８，２１，２２によって案内支持されている。この場合、ガイド片１８，２１は第二ロッド３２の上下縁でそれぞれ支持しているが、ガイド片２２は被圧腕部３７の上縁を支持している。このとき、第一ロッド３１、第二ロッド３２、カム部材の本体部４１の板状部分が同一平面に位置するので、板厚方向に小型となっている。また、ガイド板２３とフレーム１０との連結部を第一ロッド及び第二ロッドの案内支持とすることもできる。
【００３４】
上記カム部材４０とフレーム１０のガイド片１７との間に張設されたコイルばね４５は、その軸線が上記ガイド溝２４よりも上方に位置し、かつカム部材４０の掛止溝４３Ａよりもフレーム１０のガイド片１７の掛止溝１７Ｂの方が後方に位置している。その結果、カム部材４０の後方の掛止溝４３Ａに張力が加わり被承部４２を支点として回転力が生じ、前方に位置する係合部４４に対して外方への力が加わる。従って、コイルばね４５は、カム部材４０に対して後方へ付勢しているのみならず、カム部材４０の係合部４４をガイド板２３の内面に圧しかつ上方を引き上げるように付勢している。
【００３５】
このような、本実施形態装置について、図５と図６にもとづいて、その作動を説明する。なお、図５，６では（１）Ａ，（１）Ｂ以下はその動作順を示すが、Ａはガイド板のガイド溝での横断面、Ｂはガイド板に対して側方から見た図を示している。そして、横断面はカム部材４０の係合部４４が位置する高さで示されている。
▲１▼　図５（１）Ａ，Ｂにおいては、カードは完全なる挿入状態にありコネクタと結合している。カム部材４０はコイルばね４５に引かれてガイド板２３の当接面２７Ａに当接する位置、すなわち最後退位置にきており、この状態では、第一ロッド３１の後端に設けられた押釦３３は機器の前面パネルから突出している。上記第一ロッド３１の前部で支持されているカム部材４０の係合部４４は、ガイド板２３に形成されているガイド溝２４の直状案内部２５内で、最後退位置にあって、第二ロッド３２の被圧腕部３７の後端とは至近位置で対向している。
▲２▼　次に、カード排出のために押釦３３を、コイルばね４５の付勢力に抗して押し、第一ロッド３１を前方へ押し込む。この工程では、カム部材４０の係合部４４は、直状案内部２５内を図５（１）Ａ，Ｂの状態の位置から図５（２）Ａ，Ｂを経て図４（３）Ａ，Ｂの状態の位置へ至る。この係合部４４の前進移動によって、第二ロッド３２はその被圧腕部３７でカム部材４０からの押圧力を受けて前進駆動される。この前進により、図１に見られるイジェクトレバー３９は端部で押されて、その梃子作用でカードを後方へ駆出し、コネクタから解放された抜出可能状態な位置へもたらす。かくして、カードは抜出される。なお、第一ロッド３１の前進はフレーム１０によって規制されており（図示せず）、カム部材４０の係合部４４が直状案内部２５から続く鉤状部２６の前縁に当接することはない。
▲３▼　上記カム部材４０はコイルばね４５によって、後方にそして上方にも付勢されているので、係合部４４が直状案内部２５の最前位置へ到達すると、図５（３）Ａ，Ｂのごとく突出部分２６Ａをまわり込んで鉤状部２６へ入り込み、次の瞬間には、図５（４）Ａ，Ｂのごとく後退して後縁部２６Ｂに掛止する。その際、この後縁部２６Ｂはテーパ面をなしているので、係合部４４はその後退時にこのテーパ面に案内されて後縁部２６Ｂとの係合を深める。かくして、この係合状態が維持される。この状態では、第一ロッドの後端に設けられた押釦３３は機器のパネルからの突出位置にはない。
▲４▼　カードを排出するために、押釦３３を押圧して、第一ロッド３１、カム部材４０が前進すると、図６（２）Ａ，Ｂのごとく、カム部材４０の係合部４４の受圧斜面４４Ａが、ガイド板２３に形成された鉤状部２６の離脱力付与部２６Ｃの傾斜部上を摺動して前進し、該係止部４４は、ガイド部２４、すなわち鉤状部２６から浮くように板厚に直角方向内方に向けて押し出される。既述のごとく、カム部材４０には、コイルばね４５から、上方にそしてガイド部材の板面方向に付勢されていると共に後方に付勢されているので、係合部４４は鉤状部２６から外れると鉤状部２６より上方位置にてガイド部材の内側板面に摺接しながら、図６（３）Ａ，Ｂの状態を経て後方へ移動する。その間、カム部材４０は第二ロッド３２とは全く係りがない。したがって、第二ロッド３２は図５（１）Ａ，Ｂの位置から変ることはない。このとき、第一ロッド３１に設けられた窓部３５は前後方向に長い形状をしているので第一ロッド３１とグランド接触片１５，１６が干渉することはない。
▲５▼　コイルばね４５の付勢力を受けて、カム部材４０がさらに後退すると、カム部材はガイド板２３の傾斜せる当接面２７Ａに当接し、下方へ回動する。その結果、係合部４４はガイド板２３の板面を摺動しながら下方へ移動して、ガイド部２４の直状案内部２５の後部へ入り込む。すなわち、図５（１）Ａ，Ｂの状態にもどる。かくして、再びカードの排出動作の準備ができ上がる。
▲６▼　本実施形態装置において、カードが完全には挿入接続されていないとき、例えば、中途半端にカードが未接続状態で挿入されていたり、あるいは、誤って他の機器のためのカード（不適なカード）を挿入したときには、カードがコネクタと接続していない状態の位置から排出したいという要請がある。このとき、カードの後端は機器の前面パネルから少ししか突出していないので、指で摘出することは難しい。かかる場合に、上記▲４▼の要領で押釦３３を押せば、第一ロッド３１そしてカム部材４０は、第二ロッド３２の位置に係りなく、作動して後退し、▲５▼のごとくカードを後方へ駆出し、指で楽に摘出できるようになる。
【００３６】
次に、本発明の他の実施形態を図７にもとづいて説明する。
【００３７】
前実施形態では、カム部材４０はプッシュロッドとは別体に形成されていたが、本実施形態では、プッシュロッドの第一ロッド３１と一体に形成されている点に特徴がある。図７の例では、前実施形態におけるコイルばねに代えて、弾性腕部４６により上記第一ロッド３１とカム部材４０とを一体として連結している。この場合、カム部材４０の係止部４４の無負荷の位置をガイド部に対して上方且つ外方にしておくことにより弾性腕部４６はその長手方向に対し直角な二方向に弾性を有することになり、係合部４４にその方向では付勢力を与える。前実施形態では、コイルばねはカム部材４０に３方向への付勢力をも与えていたが、本実施形態では、弾性腕部４６により第一ロッド３１とカム部材４０が一体化されているので、上方及びガイド板面への付勢力は必要ない。
【００３８】
又、本発明のさらに他の実施形態を図８に示す。図１ないし図６の実施形態では、ガイド板にはスリット状のガイド部が形成されていたが、本実施形態では、ガイド板２３には、図１におけるガイド部２４に相当するガイド部２４Ａが形成されている。このガイド板２３はフレーム１の上縁と係止部１０Ｂにてつながっている。ガイド部２４Ａは、図１における直状案内部２５に相当する直状案内部２５Ａと、図１における鉤状部２６に相当する鉤状部２６Ｄとを有している。
【００３９】
さらに、本実施形態では、カム部材４０は掛止片４３の下縁に形成されたガイド補助部４７を有しており、ガイド板２３の上縁に形成された上部ガイド縁２８と係合している。又、ガイド板２３の当接片２７の下縁には図１と同様のテーパ状の当接面２７Ａが形成されている。
【００４０】
かかるカム部材４０は、第一ロッドにより前方に押されたときには、係合部４４が直状案内部２５Ａに沿って移動し、鉤状部２６Ｄにまで至る。その際、ガイド補助部４７は上部ガイド縁２８に沿って係合部４４と共に前進する。上記カム部材４０には、図１と同様なコイルばねで付勢されていて、係合部４４が前進して鉤状部２６Ｄに達すると、上記ガイド補助部の延出方向（ガイド板の板厚方向）を軸線として反時計方向に回動して係合部４４は鉤状部２６に入り込む。かくして、係合部４４は既述の▲３▼の動作を行ない鉤状部２６と係合し、又、離脱時には▲４▼，▲５▼に従って動作する。
【００４１】
本発明は、図示の実施形態に限定されず、変形可能である。例えば、離脱力付与部２６Ｃ、受圧斜面４４Ａの一方を設けるだけで離脱可能であるが、両方備えていることが好ましい。又、図１においては、ガイド部から離脱したカム部材の係合部はガイド板の板面を摺動して後退したが、その際、係合部が他の溝に係合して後退するようにしてもよい。したがって、離脱力付与部の作用によって係合部はガイド部から他の溝へ移り、当接面の作用によって他の溝からガイド部へ戻ることとなる。又、ガイド板がフレームと別体で取付けられてもよい。
【００４２】
【発明の効果】
以上のように、本発明は、カード排出のための排出レバー機構を駆動するプッシュロッドを第一ロッドと第二ロッドとで構成し、両ロッドをカム手段を介して作動せしめることとし、これらの部材及びカム手段の案内のためのガイド部を有するガイド板をすべて板状に作りかつ板面が互に平行となるように配設することとしたので、互いの配設を近接して行え、その結果、きわめて小型化に貢献する。さらには、金属板から作成すると高強度を保ちつつも板厚を小さくでき、更なる小型化がなせる。またガイド板を含め、単純なプレス加工で作れるので、加工費が低廉化され、又、構成が簡単なことから部品点数も少なくなる。更に、フレームの案内面にグランド接触子が設けられたとしても案内面とプッシュロットを近接して設けることができ小型化に貢献する。
【００４３】
さらに、本発明では、カードの挿入状態すなわち挿入の完全不完全やカードの存否にかかわらず、押釦はカードの排出可能位置にあり、仮に挿入が不完全で機器前面からのカードの後端の突出量が小さくとも、押釦を押すことにより十分突出させることができ、カードの抜出を容易とする。
【図面の簡単な説明】
【図１】本発明の一実施形態装置の分解斜視図である。
【図２】図１装置の組立斜視図である。
【図３】図１におけるカム部材の拡大斜視図である。
【図４】図１におけるガイド板の拡大斜視図である。
【図５】カード排出時の動作をその順に（１）〜（４）で示し、Ａはガイド板のガイド部での横断面図、Ｂは側面図である。
【図６】カード挿入時の動作をその順に（１）〜（３）で示し、Ａはガイド板のガイド部での横断面図、Ｂは側面図である。
【図７】本発明の他の実施形態を示す斜視図である。
【図８】本発明のさらに他の実施形態を示す斜視図である。
【符号の説明】
１０　フレーム
１１　支持部
１３　案内面（側壁部）
２３　ガイド板
２４　ガイド部
２５　直状案内部
２６　鉤状部
２６Ｃ　離脱力付与部
３０　プッシュロッド
３１　第一ロッド
３２　第二ロッド
４０　カム部材
４４　係合部
４４Ａ　受圧斜面
４５　ばね部材
【図１】
2004145682.tif 000003
【図２】
2004145682.tif 000004
【図３】
2004145682.tif 000005
【図４】
2004145682.tif 000006
【図５】
2004145682.tif 000007
【図６】
2004145682.tif 000008
【図７】
2004145682.tif 000009
【図８】
2004145682.tif 000010